(57)【要約】  本開示は、液晶パネルの透過率を変更する際に生じる視覚的な違和感を防止することができるようにする表示装置、表示方法、及びプログラムに関する。液晶制御部は、第１のタイミングに同期して、液晶パネルの透過率を変更し、BL駆動部は、第２のタイミングに同期して、液晶パネルのバックライトの明るさを変更し、マイコンは、第１のタイミングに対して第２のタイミングを遅延させるための遅延時間を算出し、遅延制御部は、第１のタイミングに同期して、液晶パネルの透過率を液晶制御部に変更させ、第１のタイミングから遅延時間だけ遅延させた第２のタイミングに同期して、バックライトの明るさをBL駆動部に変更させる。本開示は、例えば、画像を表示する表示装置等に適用できる。
2013187296.tif 000002
【特許請求の範囲】
【請求項１】
第１のタイミングに同期して、液晶パネルの透過率を変更する第１の変更部と、
第２のタイミングに同期して、前記液晶パネルのバックライトの明るさを変更する第２の変更部と、
前記第１のタイミングに対して前記第２のタイミングを遅延させるための遅延時間を算出する算出部と、
前記第１のタイミングに同期して、前記液晶パネルの透過率を前記第１の変更部に変更させ、
前記第１のタイミングから前記遅延時間だけ遅延させた前記第２のタイミングに同期して、前記バックライトの明るさを前記第２の変更部に変更させる
遅延制御部と
を含む表示装置。
【請求項２】
前記算出部は、前記液晶パネルの応答速度、又は前記液晶パネルの透過率の変更量の少なくとも一方に基づいて、前記遅延時間を算出する
請求項１に記載の表示装置。
【請求項３】
前記液晶パネルの応答速度を算出する応答速度算出部
をさらに含む請求項２に記載の表示装置。
【請求項４】
前記液晶パネルの温度を計測する温度計測部をさらに含み、
前記応答速度算出部は、計測された前記液晶パネルの温度に基づいて、前記液晶パネルの応答速度を算出する
請求項３に記載の表示装置。
【請求項５】
前記液晶パネルの透過率の変更量を算出する変更量算出部を
さらに含む請求項２に記載の表示装置。
【請求項６】
入力される画像信号に基づいて、前記画像信号が表す画像の明るさに関する明るさ情報を計測する明るさ計測部をさらに含み、
前記変更量算出部は、前記明るさ情報に基づいて、前記変更量を算出する
請求項５に記載の表示装置。
【請求項７】
第１のタイミングに同期して、液晶パネルの透過率を変更する第１の変更部と、
第２のタイミングに同期して、前記液晶パネルのバックライトの明るさを変更する第２の変更部と
を含む表示装置の表示方法において、
前記表示装置による、
前記第１のタイミングに対して前記第２のタイミングを遅延させるための遅延時間を算出する算出ステップと、
前記第１のタイミングに同期して、前記液晶パネルの透過率を前記第１の変更部に変更させ、
前記第１のタイミングから前記遅延時間だけ遅延させた前記第２のタイミングに同期して、前記バックライトの明るさを前記第２の変更部に変更させる
遅延制御ステップと
を含む表示方法。
【請求項８】
第１のタイミングに同期して、液晶パネルの透過率を変更する第１の変更部と、
第２のタイミングに同期して、前記液晶パネルのバックライトの明るさを変更する第２の変更部と
を含む表示装置のコンピュータを、
前記第１のタイミングに対して前記第２のタイミングを遅延させるための遅延時間を算出する算出部と、
前記第１のタイミングに同期して、前記液晶パネルの透過率を前記第１の変更部に変更させ、
前記第１のタイミングから前記遅延時間だけ遅延させた前記第２のタイミングに同期して、前記バックライトの明るさを前記第２の変更部に変更させる
遅延制御部と
して機能させるためのプログラム。
【発明の詳細な説明】
【技術分野】
【０００１】
本開示は、表示装置、表示方法、及びプログラムに関し、特に、例えば、液晶パネルの透過率を変更する際に生じる視覚的な違和感を防止できるようにした表示装置、表示方法、及びプログラムに関する。
【背景技術】
【０００２】
従来、バックライトから照射される光の透過率を変更できる液晶パネルを備えた表示装置が存在する。【０００３】
この表示装置は、液晶パネルとバックライトを制御し、入力される画像信号に応じて、液晶パネルの透過率とバックライトの明るさを同一のタイミングで変更する。【０００４】
また、例えば、表示装置は、バックライトを、画像の明るい部分と暗い部分とで別々に駆動させる部分駆動を行うことができる（例えば特許文献１参照）。【０００５】
この部分駆動により、表示装置は、例えば、比較的、画像の暗い部分のバックライトを消灯させる等して、画像のコントラストを改善させることができる。【０００６】
なお、画像の暗い部分のバックライトは、例えば、部分駆動の終了時に、対応する液晶パネルの透過率が十分に低くされた状態で点灯される。
【先行技術文献】
【特許文献】
【０００７】
【特許文献１】特開２０１０−１２８４４５号公報
【発明の概要】
【発明が解決しようとする課題】
【０００８】
ところで、例えば、液晶パネルの透過率が変化する速さを表す応答速度が、比較的遅い場合や、画像の明るさが大きく変化するために、液晶パネルの透過率を変更させる際の変更量が大きい場合等には、液晶パネルの透過率を、速やかに変更させることができない。【０００９】
このため、従来の表示装置では、液晶パネルの透過率とバックライトの明るさを、同一のタイミングで変更できないことが生じ、液晶パネルから出力される画像を視認する人物に、視覚的な違和感を与えてしまう。【００１０】
特に、例えば、上述した部分駆動の終了時には、液晶パネルの透過率が十分に低くなる前に、画像の暗い部分のバックライトが点灯してしまうことが生じ得る。【００１１】
この場合、液晶パネルが、一瞬だけフラッシュしたように見え、液晶パネルから出力される画像を視認する人物に視覚的な違和感を与えてしまう。【００１２】
本開示は、このような状況に鑑みてなされたものであり、液晶パネルの透過率を変更する際に生じる視覚的な違和感を防止できるようにするものである。
【課題を解決するための手段】
【００１３】
本開示の一側面の表示装置は、第１のタイミングに同期して、液晶パネルの透過率を変更する第１の変更部と、第２のタイミングに同期して、前記液晶パネルのバックライトの明るさを変更する第２の変更部と、前記第１のタイミングに対して前記第２のタイミングを遅延させるための遅延時間を算出する算出部と、前記第１のタイミングに同期して、前記液晶パネルの透過率を前記第１の変更部に変更させ、前記第１のタイミングから前記遅延時間だけ遅延させた前記第２のタイミングに同期して、前記バックライトの明るさを前記第２の変更部に変更させる遅延制御部とを含む表示装置である。【００１４】
前記算出部では、前記液晶パネルの応答速度、又は前記液晶パネルの透過率の変更量の少なくとも一方に基づいて、前記遅延時間を算出することができる。【００１５】
前記液晶パネルの応答速度を算出する応答速度算出部をさらに設けることができる。【００１６】
前記液晶パネルの温度を計測する温度計測部をさらに設けることができ、前記応答速度算出部では、計測された前記液晶パネルの温度に基づいて、前記液晶パネルの応答速度を算出することができる。【００１７】
前記液晶パネルの透過率の変更量を算出する変更量算出部をさらに設けることができる。【００１８】
入力される画像信号に基づいて、前記画像信号が表す画像の明るさに関する明るさ情報を計測する明るさ計測部をさらに設けることができ、前記変更量算出部では、前記明るさ情報に基づいて、前記変更量を算出することができる。【００１９】
本開示の一側面の表示方法は、第１のタイミングに同期して、液晶パネルの透過率を変更する第１の変更部と、第２のタイミングに同期して、前記液晶パネルのバックライトの明るさを変更する第２の変更部とを含む表示装置の表示方法であって、前記表示装置による、前記第１のタイミングに対して前記第２のタイミングを遅延させるための遅延時間を算出する算出ステップと、前記第１のタイミングに同期して、前記液晶パネルの透過率を前記第１の変更部に変更させ、前記第１のタイミングから前記遅延時間だけ遅延させた前記第２のタイミングに同期して、前記バックライトの明るさを前記第２の変更部に変更させる遅延制御ステップとを含む表示方法である。【００２０】
本開示の一側面のプログラムは、第１のタイミングに同期して、液晶パネルの透過率を変更する第１の変更部と、第２のタイミングに同期して、前記液晶パネルのバックライトの明るさを変更する第２の変更部とを含む表示装置のコンピュータを、前記第１のタイミングに対して前記第２のタイミングを遅延させるための遅延時間を算出する算出部と、前記第１のタイミングに同期して、前記液晶パネルの透過率を前記第１の変更部に変更させ、前記第１のタイミングから前記遅延時間だけ遅延させた前記第２のタイミングに同期して、前記バックライトの明るさを前記第２の変更部に変更させる遅延制御部として機能させるためのプログラムである。【００２１】
本開示によれば、前記第１のタイミングに対して前記第２のタイミングを遅延させるための遅延時間が算出され、前記第１のタイミングに同期して、前記液晶パネルの透過率が前記第１の変更部に変更され、前記第１のタイミングから前記遅延時間だけ遅延させた前記第２のタイミングに同期して、前記バックライトの明るさが前記第２の変更部に変更される。
【発明の効果】
【００２２】
本開示によれば、液晶パネルの透過率を変化させる際に生じる視覚的な違和感を防止することが可能となる。
【図面の簡単な説明】
【００２３】
【図１】本開示におけるテレビジョン受像機の構成例を示すブロック図である。
【図２】マイコンが、液晶パネルの応答速度を算出するときの一例を示す図である。
【図３】マイコンが、液晶パネルの透過率の変更量を算出するときの一例を示す図である。
【図４】マイコンが、算出した遅延時間に基づいて、第１及び第２のタイミングを決定するときの一例を示す図である。
【図５】テレビジョン受像機が行う遅延制御処理を説明するためのフローチャートである。
【図６】コンピュータのハードウェアの構成例を示すブロック図である。
【発明を実施するための形態】
【００２４】
以下、本開示における実施の形態（以下、本実施の形態という）について説明する。なお、説明は以下の順序で行う。
１．本実施の形態（液晶信号とバックライトデータを異なるタイミングで出力するときの一例）
２．変形例
【００２５】
＜１．本実施の形態＞
[テレビジョン受像機１の構成例]
図１は、本実施の形態であるテレビジョン受像機１の構成例を示している。
【００２６】
このテレビジョン受像機１は、画像処理部２１、液晶制御部２２、温度センサ２３aを内蔵する液晶パネル２３、マイコン(マイクロコンピュータ)２４、BL駆動部２５、バックライト２６、制御部２７及び操作部２８から構成される。
【００２７】
なお、テレビジョン受像機１において、画像処理部２１には、図示せぬアンテナ等から受信したコンテンツとしての画像信号や、図示せぬ再生装置等から画像信号が供給される。
【００２８】
画像処理部２１は、供給される画像信号を処理するものであり、APL(average picture level)計測部４１、遅延制御部４２、信号処理部４３、及びBL値算出部４４から構成される。
【００２９】
APL計測部４１は、供給される画像信号に基づいて、画像信号が表す画像の明るさに関する明るさ情報として、例えば輝度の平均を表すAPLを計測する。
【００３０】
具体的には、例えば、APL計測部４１は、供給される画像信号に基づいて、画像を構成する各画素の輝度の総和を、画像の画素数で除算することにより得られるAPLを計測する。
【００３１】
そして、APL計測部４１は、供給される画像信号毎に計測した複数のAPLを、マイコン２４に供給する。なお、APL計測部４１は、明るさ情報として、画像の輝度の平均を表すAPLの他、画像の最大輝度や、画像の輝度の分布、画像を構成する各領域毎の最大輝度等も計測し、その計測結果を、明るさ情報として、マイコン２４に供給することができる。しかしながら、本実施の形態では、APL計測部４１は、供給される画像信号毎にAPLを計測し、計測したAPLをマイコン２４に供給するものとして説明する。
【００３２】
遅延制御部４２は、マイコン２４からの指示に従い、第１のタイミングで信号処理部４３から液晶制御部２２に液晶信号を出力させ、第１のタイミングの後に到来する第２のタイミングでBL値算出部４４からBL駆動部２５にバックライトデータを出力させる。
【００３３】
信号処理部４３は、供給される画像信号に基づいて、画像信号が表す画像の輝度の分布を算出する。
【００３４】
また、信号処理部４３は、算出した輝度の分布に基づいて、液晶パネル２３の透過率（開口率）を、画像信号に応じた透過率に変更するための液晶信号を生成し、遅延制御部４２から指示された第１のタイミングで液晶パネル２３に出力する。
【００３５】
なお、液晶パネル２３の透過率は、液晶パネル２３から出力される光としての画像を構成する各画素毎に決定される。
【００３６】
BL値算出部４４は、供給される画像信号に基づいて、画像信号が表す画像を構成する各画素の明るさ（輝度）を算出し、その算出結果に基づいて、バックライトの明るさを制御するためのバックライトデータを生成する。
【００３７】
すなわち、例えば、BL値算出部４４は、バックライトを部分駆動させる場合、算出した各画素の明るさに基づいて、画像の明るい部分と暗い部分とを識別し、明るい部分に対応するバックライトの明るさを明るく、暗い部分に対応するバックライトの明るさを暗くするためのバックライトデータを生成する。
【００３８】
具体的には、例えば、BL値算出部４４は、画像を構成する全領域のうち、輝度の低い領域（暗い部分）に相当するバックライトの点灯量を減少させ、輝度の高い領域（明るい部分）に相当するバックライトの点灯量を増加させるためのバックライトデータを生成する。
【００３９】
そして、BL値算出部４４は、生成したバックライトデータを、遅延制御部４２から指示された第２のタイミングでBL駆動部２５に出力する。
【００４０】
液晶制御部２２は、液晶パネル２３を制御することにより、信号処理部４３から液晶信号が供給される第１のタイミングに同期して、信号処理部４３からの液晶信号に基づき、液晶パネル２３の透過率を変更する。
【００４１】
なお、図１のテレビジョン受像機１では、信号処理部４３と液晶制御部２２の間に、信号処理部４３から出力される液晶信号を信号処理するための処理ブロックを設けるようにすることができる。
【００４２】
この場合、信号処理部４３は、生成した液晶信号を、処理ブロックでの処理時間を加味したタイミング（第１のタイミングよりも、処理ブロックでの処理時間だけ早いタイミング）で、処理ブロックに出力する。
【００４３】
これにより、処理ブロックで処理後の液晶信号が、第１のタイミングで処理ブロックから液晶制御部２２に供給される。そして、液晶制御部２２は、上述のように、第１のタイミングに同期して、液晶パネル２３の透過率を変更する。
【００４４】
液晶パネル２３は、液晶制御部２２により変更された透過率で、バックライト２６からの光を透過させることにより、画像としての透過光を出力する。
【００４５】
また、温度センサ２３aは、液晶パネル２３の内部に設けられており、液晶パネル２３の内部の温度を計測し、その計測結果を、マイコン２４に供給する。
【００４６】
マイコン２４は、温度センサ２３aから供給される、液晶パネル２３の内部の温度を計測した計測結果に基づいて、液晶パネル２３の応答速度を算出する。ここで、応答速度とは、液晶パネル２３の透過率が変化するときの速さを表す。
【００４７】
また、マイコン２４は、画像処理部２１のAPL計測部４１から供給される、画像のAPLを計測した計測結果に基づいて、液晶パネル２３から出力される画像の明るさの変化を検出する。
【００４８】
すなわち、例えば、マイコン２４は、画像処理部２１のAPL計測部４１からの計測結果に基づいて、画像の輝度が、低い輝度から高い輝度に変化していくのか、中間の輝度から高い輝度に変化していくのか等を検出する。
【００４９】
さらに、マイコン２４は、検出した画像の明るさの変化に基づいて、液晶パネル２３の透過率を、画像信号に応じた透過率に変更する際の変更量を算出する。
【００５０】
また、マイコン２４は、算出した応答速度と変更量に基づいて、液晶信号を出力させる第１のタイミングに対して、バックライトデータを出力させる第２のタイミングを遅延させるための遅延時間を算出する。
【００５１】
そして、マイコン２４は、第１のタイミングで、信号処理部４３から液晶信号を出力させるとともに、第１のタイミングから遅延時間だけ遅延させた第２のタイミングで、BL値算出部４４からバックライトデータを出力させるように、遅延制御部４２を制御する。
【００５２】
BL駆動部２５は、BL値算出部４４からバックライトデータが供給される第２のタイミングに同期して、バックライト２６の明るさを変更する。すなわち、例えば、BL駆動部２５は、第２のタイミングに同期して、バックライト２６を駆動させ、バックライト２６に、BL値算出部４４からのバックライトデータに応じた明るさの光を、液晶パネル２３の背面に照射させる。
【００５３】
バックライト２６は、例えばLED(light emitting diode)等からなり、液晶パネル２３の背面（画像が表示される面の裏側）に設けられている。
【００５４】
また、バックライト２６は、BL駆動部２５からの制御により駆動し、BL値算出部４４からBL駆動部２５に供給されるバックライトデータに応じた点灯量で点灯する。これにより、液晶パネル２３の背面には、バックライト２６からの光が照射される。
【００５５】
制御部２７は、例えば、操作部２８からの操作信号に応じて、画像処理部２１、液晶制御部２２、マイコン２４、及びBL駆動部２５を制御する。
【００５６】
すなわち、例えば、ユーザが、操作部２８を用いて部分駆動を指示するための指示操作を行った場合、制御部２７は、ユーザの指示操作に応じた、操作部２８からの操作信号に応じて、部分駆動を行うように制御する。
【００５７】
具体的には、例えば、制御部２７は、操作部２８からの操作信号に応じて、部分駆動をオンするタイミングを表す部分駆動制御パルスを生成し、マイコン２４に供給することにより、部分駆動を行わせる。なお、制御部２７は、部分駆動を終了させるときも同様にして、部分駆動をオフするタイミングを表す他の部分駆動制御パルスを生成し、マイコン２４に供給して、部分駆動を終了させる。
【００５８】
操作部２８は、例えば、操作ボタン等であり、ユーザにより操作される。操作部２８は、ユーザからの操作に応じて、ユーザの操作に応じた操作信号を、制御部２７に供給する。
【００５９】
[応答速度の算出方法の一例]
次に、図２は、マイコン２４が、温度センサ２３aからの計測結果に基づいて、液晶パネル２３の応答速度を算出するときの一例を示している。
【００６０】
図２において、横軸は時間を表し、縦軸は、液晶パネル２３の液晶の透過率を表している。
【００６１】
図２には、透過率がαからβ(<α)に変化するときの、応答速度V1乃至V3が示されている。
【００６２】
一般的には、液晶パネル２３の内部の温度が高くなる程に、応答速度は速くなる。したがって、例えば、液晶パネル２３の応答速度がV1である場合、液晶パネル２３の内部の温度が上昇すると、応答速度はV1からV2に変化する。また、例えば、液晶パネル２３の応答速度がV2となった状態で、液晶パネル２３の内部の温度がさらに上昇すると、応答速度はV2からV3に変化する。
【００６３】
マイコン２４は、例えば、液晶パネル２３の内部の温度と、液晶パネル２３の応答速度とを対応付けたテーブルを予め保持している。そして、マイコン２４は、温度センサ２３aからの計測結果に基づいて、予め保持しているテーブルから、温度センサ２３aで計測された温度に対応付けられている応答速度を読み出すことにより算出する。
【００６４】
また、マイコン２４は、液晶パネル２３の内部の温度と、液晶パネル２３の応答速度との関係を表す関数を予め保持するようにしてもよい。この場合、マイコン２４は、温度センサ２３aからの計測結果を変数として、予め保持している関数に代入することにより、液晶パネル２３の応答速度を算出する。
【００６５】
なお、マイコン２４に予め保持されるテーブルや関数は、液晶パネル２３を用いて予め行われる実験結果などに基づき生成されて保持される。
【００６６】
次に、図３は、マイコン２４が、APL計測部４１からの計測結果に基づいて、液晶パネル２３の透過率の変更量を算出するときの一例を示している。
【００６７】
例えば、液晶パネル２３から出力された直前の画像が明るい画像であり、次に出力される画像が暗い画像である場合、図３に示されるように、液晶パネル２３の透過率が、応答速度V1でαからβに変更される。
【００６８】
この場合、マイコン２４は、APL計測部４１からの計測結果に基づいて、透過率の変更量(α-β)を算出する。
【００６９】
そして、マイコン２４は、温度センサ２３aからの計測結果に基づき算出した応答速度V1と、APL計測部４１からの計測結果に基づき算出した変更量(α-β)に基づいて、遅延時間T1を算出する。
【００７０】
この遅延時間T1は、液晶パネル２３の透過率が、応答速度V1でαからβに変更されるまでの時間を表す。なお、遅延時間T1は、これに限定されない。
【００７１】
すなわち、例えば、マイコン２４は、遅延時間T1に代えて、液晶パネル２３の透過率が、殆どβに変更されるまでの時間T1''(<T1)を、遅延時間として算出することができる。このことは、後述する遅延時間T2についても同様である。
【００７２】
また、例えば、液晶パネル２３から出力された直前の画像が中間の明るさの画像であり、次に出力される画像が暗い画像である場合、図３に示されるように、液晶パネル２３の透過率が、応答速度V1でα'からβに変更される。
【００７３】
この場合、マイコン２４は、APL計測部４１からの計測結果に基づいて、透過率の変更量(α'-β)を算出する。
【００７４】
そして、マイコン２４は、温度センサ２３aからの計測結果に基づき算出した応答速度V1と、APL計測部４１からの計測結果に基づき算出した変更量(α'-β)に基づいて、遅延時間T2(<T1)を算出する。
【００７５】
この遅延時間T2は、液晶パネル２３の透過率が、応答速度V1でα'からβに変更されるまでの時間を表す。
【００７６】
次に、図４は、マイコン２４が、算出した遅延時間に基づいて、第１のタイミング及び第２のタイミングを決定するときの一例を示している。
【００７７】
図４のAには、制御部２７から出力される部分駆動制御パルスの一例が示されている。この部分駆動制御パルスは、部分駆動を開始するときにオンされ、部分駆動を終了するときにオフされる。
【００７８】
図４のBには、液晶パネル２３の透過率が示されている。
【００７９】
図４のCには、バックライト２６の明るさが示されている。
【００８０】
マイコン２４は、図４のBに示されるような遅延時間T1を算出した場合、算出した遅延時間T1に基づいて、液晶信号を出力する第１のタイミング、及びバックライトデータを出力する第２のタイミングを決定する。
【００８１】
この場合、マイコン２４は、例えば、図４のAに示される部分駆動制御パルスがオフされるタイミングt1を第１のタイミングとし、第１のタイミングから遅延時間T1だけ遅延したタイミングt2(=t1+T1)を第２のタイミングとする。
【００８２】
そして、マイコン２４は、遅延制御部４２を制御し、第１のタイミングt1で信号処理部４３から液晶信号を出力させ、第２のタイミングt2でBL値算出部４４からバックライトデータを出力させる。
【００８３】
また、例えば、マイコン２４は、遅延時間T1に代えて、タイミングt1での透過率αが、透過率βに近い透過率β'となるまでの時間を、遅延時間T1'として算出するようにしてもよい。
【００８４】
この場合、マイコン２４は、例えば、タイミングt1を第１のタイミングとし、第１のタイミングから遅延時間T1'だけ遅延したタイミングt2'(=t1+T1')を第２のタイミングとする。そして、マイコン２４は、遅延制御部４２を制御し、第１のタイミングt1で信号処理部４３から液晶信号を出力させ、第２のタイミングt2'でBL値算出部４４からバックライトデータを出力させる。
【００８５】
なお、マイコン２４において、第１のタイミング及び第２のタイミングは、図４に示した場合に限定されず、第２のタイミングが、第１のタイミングから遅延時間だけ遅延していれば、いずれのタイミングを、第１のタイミング及び第２のタイミングとしてもよい。
【００８６】
すなわち、例えば、マイコン２４は、第１のタイミングを、タイミングt1の前後のタイミングとすることができるし、第１のタイミングと第２のタイミングを、それぞれ、タイミングt1よりも前のタイミングとすることができる。
【００８７】
また、図４では、部分駆動がオフされる場合について説明したが、部分駆動がオンされる場合についても同様にして、マイコン２４は、第１及び第２のタイミングを決定することができる。
【００８８】
すなわち、図４において部分駆動がオンされる場合、マイコン２４は、例えば、液晶パネル２３の透過率が、βからαに変更されるまでの時間を遅延時間として算出し、算出した遅延時間に基づいて、第１及び第２のタイミングを決定する。
【００８９】
なお、上述したようにして、マイコン２４が第１及び第２のタイミングを決定するのは、部分駆動がオン又はオフされる場合に限定されない。すなわち、液晶パネル２３の透過率が変更される場合であれば、マイコン２４は、いずれの場合も、上述したようにして第１及び第２のタイミングを決定することができる。
【００９０】
[テレビジョン受像機１の動作説明]
次に、図５のフローチャートを参照して、テレビジョン受像機１が行う遅延制御処理について説明する。
【００９１】
なお、この遅延制御処理は、例えば、テレビジョン受像機１の電源がオンされたときに開始される。このとき、画像処理部２１には、例えば、図示せぬアンテナで受信された画像信号が入力される。
【００９２】
ステップＳ１では、画像処理部２１のAPL計測部４１は、供給される画像信号に基づいて、画像信号が表す画像のAPLを計測し、その計測結果をマイコン２４に供給する。
【００９３】
ステップＳ２では、温度センサ２３aは、液晶パネル２３の内部の温度を計測し、その計測結果をマイコン２４に供給する。
【００９４】
ステップＳ３では、マイコン２４は、温度センサ２３aから供給される計測結果に基づいて、液晶パネル２３の応答速度を算出する。
【００９５】
ステップＳ４では、マイコン２４は、APL計測部４１からの計測結果に基づいて、液晶パネル２３の透過率を、画像信号に対応する透過率に変更させるときの変更量を算出する。
【００９６】
ステップＳ５では、マイコン２４は、算出した液晶パネル２３の応答速度と、液晶パネル２３の変更量とに基づいて、第１のタイミングに対して第２のタイミングを遅延させるための遅延時間を算出する。
【００９７】
そして、マイコン２４は、第１のタイミングで、信号処理部４３から液晶信号を出力させるとともに、第１のタイミングから遅延時間だけ遅延させた第２のタイミングで、BL値算出部４４からバックライトデータを出力させるように、遅延制御部４２を制御する。
【００９８】
ステップＳ６では、遅延制御部４２は、マイコン２４からの指示に従い、信号処理部４３を制御して、第１のタイミングで、液晶信号を液晶制御部２２に出力させる。
【００９９】
これにより、液晶制御部２２は、信号処理部４２から液晶信号が供給される第１のタイミングに同期して、液晶パネル２３を制御することにより、液晶パネル２３の透過率を、信号処理部４２からの液晶信号に応じた透過率に変更する。
【０１００】
ステップＳ７では、遅延制御部４２は、マイコン２４からの指示に従い、BL値算出部４４を制御して、第１のタイミングから遅延時間だけ遅延した第２のタイミングで、バックライトデータをBL駆動部２５に出力させる。
【０１０１】
これにより、BL駆動部２５は、BL値算出部４４からバックライトデータが供給される第２のタイミングに同期して、バックライト２６を駆動させ、バックライト２６の明るさを、BL値算出部４４からのバックライトデータに応じた明るさに変更する。
【０１０２】
そして、画像処理部２１に次の画像信号が入力されたことに対応して、処理はステップＳ７からステップＳ１に戻り、それ以降同様の処理が行われる。なお、この遅延制御処理は、例えば、テレビジョン受像機１の電源がオフされたときに終了される。
【０１０３】
以上説明したように、遅延制御処理によれば、マイコン２４は、液晶パネル２３の内部の温度に応じて変化する応答速度と、各画像の明るさに応じて変化する透過率の変更量に基づいて、第１及び第２のタイミングを決定するようにした。
【０１０４】
そして、遅延制御部４２が、第１のタイミングで信号処理部４３から液晶制御部２２に液晶信号を出力させ、第１のタイミングから遅延時間だけ遅延させた第２のタイミングで、BL値算出部４４からBL駆動部２５にバックライトデータを出力させるようにした。
【０１０５】
このため、例えば、液晶パネル２３の透過率が、画像信号に応じた透過率となる頃を見計らって、バックライト２６の明るさを、画像信号に応じた明るさに変更することができる。
【０１０６】
よって、遅延制御処理によれば、液晶パネル２３の応答速度や画像の明るさの変化に拘らず、ユーザに視覚的な違和感を与えてしまう事態を防止することが可能となる。
【０１０７】
＜２．変形例＞
本実施の形態において、マイコン２４は、温度センサ２３aからの計測結果に基づき算出した液晶パネル２３の応答速度と、APL計測部４１からの計測結果に基づき算出した液晶パネル２３の透過率の変更量に基づいて、遅延時間を算出するようにした。
【０１０８】
しかし、マイコン２４は、液晶パネル２３の応答速度、又は液晶パネル２３の透過率の変更量の一方に基づいて、遅延時間を算出してもよい。
【０１０９】
すなわち、例えば、マイコン２４は、温度センサ２３aからの計測結果に基づき算出した液晶パネル２３の応答速度と、液晶パネル２３の透過率の平均的な変更量に基づいて、遅延時間を算出する。なお、液晶パネル２３の平均的な変更量は、マイコン２４に予め保持されているものとする。
【０１１０】
この場合、APL計測部４１を省略できるので、テレビジョン受像機１の構成を簡素化できる。また、テレビジョン受像機１では、APL計測部４１からの計測結果に基づいて、液晶パネル２３の透過率の変更量を算出する処理を省略できるので、より迅速に遅延時間を算出できるようになる。
【０１１１】
さらに、例えば、マイコン２４は、APL計測部４１からの計測結果に基づき算出した液晶パネル２３の透過率の変更量と、液晶パネル２３の平均的な応答速度に基づいて、遅延時間を算出できる。なお、液晶パネル２３の平均的な応答速度は、マイコン２４に予め保持されているものとする。
【０１１２】
この場合、温度センサ２３aを省略できるので、テレビジョン受像機１の構成を簡素化できる。また、テレビジョン受像機１では、温度センサ２３aからの計測結果に基づいて、液晶パネル２３の応答速度を算出する処理を省略できるので、より迅速に遅延時間を算出できるようになる。
【０１１３】
本実施の形態では、テレビジョン受像機１について説明したが、本技術は、液晶パネル２３及びバックライト２６を制御する表示制御装置や、テレビジョン受像機１の他、表示制御装置を内蔵するパーソナルコンピュータ等の電子機器に適用することができる。
【０１１４】
ところで、本技術は、以下の構成をとることができる。
（１）第１のタイミングに同期して、液晶パネルの透過率を変更する第１の変更部と、第２のタイミングに同期して、前記液晶パネルのバックライトの明るさを変更する第２の変更部と、前記第１のタイミングに対して前記第２のタイミングを遅延させるための遅延時間を算出する算出部と、前記第１のタイミングに同期して、前記液晶パネルの透過率を前記第１の変更部に変更させ、前記第１のタイミングから前記遅延時間だけ遅延させた前記第２のタイミングに同期して、前記バックライトの明るさを前記第２の変更部に変更させる遅延制御部とを含む表示装置。
（２）前記算出部は、前記液晶パネルの応答速度、又は前記液晶パネルの透過率の変更量の少なくとも一方に基づいて、前記遅延時間を算出する前記（１）に記載の表示装置。
（３）前記液晶パネルの応答速度を算出する応答速度算出部をさらに含む前記（２）に記載の表示装置。
（４）前記液晶パネルの温度を計測する温度計測部をさらに含み、前記応答速度算出部は、計測された前記液晶パネルの温度に基づいて、前記液晶パネルの応答速度を算出する前記（３）に記載の表示装置。
（５）前記液晶パネルの透過率の変更量を算出する変更量算出部をさらに含む前記（２）乃至（４）に記載の表示装置。
（６）入力される画像信号に基づいて、前記画像信号が表す画像の明るさに関する明るさ情報を計測する明るさ計測部をさらに含み、前記変更量算出部は、前記明るさ情報に基づいて、前記変更量を算出する前記（５）に記載の表示装置。
（７）第１のタイミングに同期して、液晶パネルの透過率を変更する第１の変更部と、第２のタイミングに同期して、前記液晶パネルのバックライトの明るさを変更する第２の変更部とを含む表示装置の表示方法において、前記表示装置による、前記第１のタイミングに対して前記第２のタイミングを遅延させるための遅延時間を算出する算出ステップと、前記第１のタイミングに同期して、前記液晶パネルの透過率を前記第１の変更部に変更させ、前記第１のタイミングから前記遅延時間だけ遅延させた前記第２のタイミングに同期して、前記バックライトの明るさを前記第２の変更部に変更させる遅延制御ステップとを含む表示方法。
（８）第１のタイミングに同期して、液晶パネルの透過率を変更する第１の変更部と、第２のタイミングに同期して、前記液晶パネルのバックライトの明るさを変更する第２の変更部とを含む表示装置のコンピュータを、前記第１のタイミングに対して前記第２のタイミングを遅延させるための遅延時間を算出する算出部と、前記第１のタイミングに同期して、前記液晶パネルの透過率を前記第１の変更部に変更させ、前記第１のタイミングから前記遅延時間だけ遅延させた前記第２のタイミングに同期して、前記バックライトの明るさを前記第２の変更部に変更させる遅延制御部として機能させるためのプログラム。
【０１１５】
上述した一連の処理は、例えばハードウェアにより実行することもできるし、ソフトウェアにより実行することもできる。一連の処理をソフトウェアにより実行する場合には、そのソフトウェアを構成するプログラムが、専用のハードウェアに組み込まれているコンピュータ、又は、各種のプログラムをインストールすることで、各種の機能を実行することが可能な、例えば汎用のコンピュータなどに、プログラム記録媒体からインストールされる。
【０１１６】
[コンピュータの構成例]
図６は、上述した一連の処理をプログラムにより実行するコンピュータのハードウェアの構成例を示している。
【０１１７】
CPU（Central Processing Unit）２０１は、ROM（Read Only Memory）２０２、又は記憶部２０８に記憶されているプログラムに従って各種の処理を実行する。RAM（Random Access Memory）２０３には、CPU２０１が実行するプログラムやデータ等が適宜記憶される。これらのCPU２０１、ROM２０２、及びRAM２０３は、バス２０４により相互に接続されている。
【０１１８】
CPU２０１にはまた、バス２０４を介して入出力インタフェース２０５が接続されている。入出力インタフェース２０５には、キーボード、マウス、マイクロホン等よりなる入力部２０６、ディスプレイ、スピーカ等よりなる出力部２０７が接続されている。CPU２０１は、入力部２０６から入力される指令に対応して各種の処理を実行する。そして、CPU２０１は、処理の結果を出力部２０７に出力する。
【０１１９】
入出力インタフェース２０５に接続されている記憶部２０８は、例えばハードディスクからなり、CPU２０１が実行するプログラムや各種のデータを記憶する。通信部２０９は、インターネットやローカルエリアネットワーク等のネットワークを介して外部の装置と通信する。
【０１２０】
また、通信部２０９を介してプログラムを取得し、記憶部２０８に記憶してもよい。
【０１２１】
入出力インタフェース２０５に接続されているドライブ２１０は、磁気ディスク、光ディスク、光磁気ディスク、或いは半導体メモリ等のリムーバブルメディア２１１が装着されたとき、それらを駆動し、そこに記録されているプログラムやデータ等を取得する。取得されたプログラムやデータは、必要に応じて記憶部２０８に転送され、記憶される。
【０１２２】
コンピュータにインストールされ、コンピュータによって実行可能な状態とされるプログラムを記録（記憶）する記録媒体は、図６に示すように、磁気ディスク（フレキシブルディスクを含む）、光ディスク（CD-ROM(Compact Disc-Read Only Memory),DVD(Digital Versatile Disc)を含む）、光磁気ディスク（ＭＤ（Mini-Disc）を含む）、もしくは半導体メモリ等よりなるパッケージメディアであるリムーバブルメディア２１１、又は、プログラムが一時的もしくは永続的に格納されるROM２０２や、記憶部２０８を構成するハードディスク等により構成される。記録媒体へのプログラムの記録は、必要に応じてルータ、モデム等のインタフェースである通信部２０９を介して、ローカルエリアネットワーク、インターネット、デジタル衛星放送といった、有線又は無線の通信媒体を利用して行われる。
【０１２３】
なお、本明細書において、上述した一連の処理を記述するステップは、記載された順序に沿って時系列的に行われる処理はもちろん、必ずしも時系列的に処理されなくとも、並列的あるいは個別に実行される処理をも含むものである。
【０１２４】
さらに、本開示は、上述した本実施の形態に限定されるものではなく、本開示の要旨を逸脱しない範囲において種々の変更が可能である。
【符号の説明】
【０１２５】
１  テレビジョン受像機，  ２１  画像処理部，  ２２  液晶制御部，  ２３  液晶パネル，  ２３a  温度センサ，  ２４  マイコン，  ２５  BL駆動部，  ２６  バックライト，  ２７  制御部，  ２８  操作部，  ４１  APL計測部，  ４２  遅延制御部，  ４３  信号処理部，  ４４  BL値算出部
【図１】
2013187296.tif 000003
【図２】
2013187296.tif 000004
【図３】
2013187296.tif 000005
【図４】
2013187296.tif 000006
【図５】
2013187296.tif 000007
【図６】
2013187296.tif 000008
【国際調査報告】
2013187296.tif 000009
2013187296.tif 000010
2013187296.tif 000011
2013187296.tif 000012